(57)【特許請求の範囲】
【請求項１】
大径側端が閉塞している中空の管体を有し、前記管体における大径側端の外周にその周方向に沿って起伏を有することを特徴とする管楽器用消音器。
【請求項２】
前記管体における大径側端の外周に凹部を有することを特徴とする請求項１に記載の管楽器用消音器。
【請求項３】
前記管体の軸の周りに沿って前記凹部を複数有することを特徴とする請求項２に記載の管楽器用消音器。
【請求項４】
前記軸の周りに沿って前記凹部が奇数個配置されていることを特徴とする請求項２または３に記載の管楽器用消音器。
【請求項５】
前記複数の凹部のうち少なくとも２個の凹部が、当該２個の凹部と前記軸とのなす角が１８０度となる位置に配置されていることを特徴とする請求項３に記載の管楽器用消音器。
【請求項６】
前記管体における大径側端の外周に凸部を有することを特徴とする請求項１から５のいずれか１の請求項に記載の管楽器用消音器。
【発明の詳細な説明】
【技術分野】
【０００１】
この発明は、管楽器に用いる消音器に関する。
【背景技術】
【０００２】
トランペットなどの管楽器の音量を少なくする目的で使用される管楽器用消音器（以下単に消音器という）には、例えば、特許文献１および２に開示されているものがある。
【０００３】
図１１は、特許文献１における消音器の構成を当該消音器の一部を破断して示す側面図である。図１１は、管楽器に消音器を装着した状態を示す。図１１に示すように、消音器２３は、前端部２３Ａと後端部２３Ｂとから構成されている。また、消音器２３は、前端部２３Ａと後端部２３Ｂとが接合されている軸方向の中間部近傍において外径が最も大きく、前端部２３Ａの先端２５および後端部２３Ｂの先端２６に向かって外径が小さくなっている。また、後端部２３Ｂの先端２６近傍が管楽器のベル３の内壁に固定されている状態では、前端部２３Ａと後端部２３Ｂとの接合部近傍および前端部２３Ａが、ベル３の端面よりも外側（前方側）に突出している。この消音器２３のユーザは、前端部２３Ａと後端部２３Ｂとの接合部近傍の側面や前端部２３Ａの側面を握り、消音器２３を軸方向でありベル３から遠ざかる方向に軸の周りに少し回転させながら引っ張ることにより当該消音器２３を管楽器から取り外す。この消音器２３は、当該消音器２３を管楽器から取り外すことが容易であるが、ベル３の端面から外側に大きく突出しているため、ユーザが当該消音器２３を装着した管楽器を保持したときのバランスがベル３の端面よりも前方側に偏りがちであった。
【０００４】
図１２は、特許文献２における消音器の構成を示す縦断面図である。図１２は、管楽器に消音器を装着した状態を示す。図１２に示すように、消音器１０は、胴部１と底部２とから構成されている。胴部１は、略円錐管形状であり、大径側端１ｂから小径側端１ａに向かってベル２０の内壁に沿うように外径が小さくなっている。底部２は、椀状であり、椀の底部分は軸に垂直な面に平行している。また、底部２は、椀の底部分から椀の縁部分にかけて滑らかに曲がっており、椀の縁部分が胴部１に接合している。胴部１の小径側端１ａ近傍がベル２０の内壁に固定されている状態では、底部２と胴部１との接合部近傍がベル２０の端面に位置し、椀状の底部２がベル２０の端面よりも外側（前方側）に突出している。この消音器１０は、ベル２０の端面から突出している底部２の軸方向の長さが短いため、ユーザが当該消音器１０を装着した管楽器を保持したときのバランスがベル２０の端面よりも前方側に偏ることを抑えることができる。
【先行技術文献】
【特許文献】
【０００５】
【特許文献１】特許第２８６５０３０号公報
【特許文献２】特許第４９８６０９１号公報
【特許文献３】米国特許第３３２２０１５号明細書
【発明の概要】
【発明が解決しようとする課題】
【０００６】
しかし、特許文献２の消音器１０は、当該消音器１０を管楽器から取り外すことが容易ではない、という問題がある。より詳細に説明すると、ベル２０の端面から突出している底部２は椀状であり軸方向の長さが短いため、当該底部２の側面を握って消音器１０を軸方向でありベル２０から遠ざかる方向に軸の周りに少し回転させながら引っ張るという動作をすることが難しい。このため、ユーザは、ベル２０の内壁と消音器１０との間の空間に手指を差し入れて、消音器１０における胴部１と底部２の接合部近傍を手指で掴み、消音器１０を軸方向でありベル２０から遠ざかる方向に軸の周りに少し回転させながら引っ張る、というようにして消音器１０を管楽器から取り外す。しかし、このようにしても、胴部１と底部２の接合部近傍に手指を掛け難いため、当該消音器１０の取り外しは容易ではない。
【０００７】
この発明は以上のような事情に鑑みてなされたものであり、消音器を管楽器から容易に取り外すことができる技術的手段を提供することを目的とし、特に、管楽器に装着されたときにベルの端面から突出している長さが短い消音器において、当該消音器を管楽器から容易に取り外すことができる技術的手段を提供することを目的としている。
【課題を解決するための手段】
【０００８】
この発明は、一端が閉塞している中空の管体を有し、前記管体における閉塞端近傍の外壁に起伏を有することを特徴とする管楽器用消音器を提供する。
【０００９】
この発明によれば、一端が閉塞している中空の管体における閉塞端近傍の外壁が起伏している部分、すなわち起伏により軸から外壁までの高さが低くなっている部分（すなわち凹部）に手指を掛けることができるため、管楽器のベルの内壁に固定された当該消音器を管楽器から容易に取り外すことができる。
【００１０】
なお、特許文献３にベルの端面から突き出ている底部の中央近傍の外壁に手指を挿入するリングを設けた消音器が開示されている。特許文献３の消音器は、リングに人指し指を挿入して消音器を持つことで管楽器から消音器を容易に取り外しができる。これに対して、本発明の消音器は、管体（胴部）における閉塞端近傍（底部近傍）の外壁に手指を掛けるための起伏を設けることで管楽器から消音器を容易に取り出すことができるようにしているため、特許文献３の消音器とは全く異なるものである。また、特許文献３の消音器は、底部に加えリングもベルの端面から突出するため当該消音器をコンパクトにすることが困難であるが、本発明の消音器は、ベルの端面から外側方向に特許文献３におけるリングのような突出部がないため当該消音器をコンパクトにすることができる。
【図面の簡単な説明】
【００１１】
【図１】この発明の第１実施形態による消音器１の構成を示す縦断面図、正面図および斜視図である。
【図２】同消音器１における凹部２１の位置と当該凹部２１に掛ける手指の位置の関係を説明する正面図である。
【図３】同消音器１をトランペットから取り外す動作を説明する斜視図である。
【図４】この発明の第２実施形態による消音器１Ａの構成を示す正面図である。
【図５】変形例（１）におけるトロンボーン用の消音器１Ｂの例を示す斜視図である。
【図６】変形例（１）におけるフレンチホルン用の消音器１Ｃの例を示す斜視図である。
【図７】変形例（１）におけるフリューゲルホルン用の消音器１Ｄの例を示す斜視図である。
【図８】変形例（１）におけるベル３の寸法が大きな管楽器に用いる消音器１Ｅの例を示す斜視図である。
【図９】変形例（７）における消音器１Ｆ〜１Ｉの構成を示す斜視図である。
【図１０】変形例（８）における消音器１Ｊの構成を示す正面図である。
【図１１】特許文献１の消音器の構成を示す側面図である。
【図１２】特許文献２の消音器の構成を示す縦断面図である。
【発明を実施するための形態】
【００１２】
以下、図面を参照し、この発明の実施形態について説明する。
＜第１実施形態＞
図１（Ａ）は、この発明の第１実施形態による消音器１の構成を示す縦断面図であり、図１（Ｂ）は、同正面図であり、図１（Ｃ）は、同斜視図である。本実施形態による消音器１は、トランペット用の消音器１であり、図１は、消音器１をトランペットに装着した状態を示す。図１に示すように、消音器１は、略有底円錐管形状であり、胴部１１と底部１２とから構成されている。胴部１１および底部１２は、例えば、プラスチックを成形してなるものである。本実施形態の消音器１は、胴部１１における底部１２近傍の外壁に胴部１１の軸の周りに沿った起伏（すなわち凹部２１および凸部２２）を設けることにより、当該消音器１のトランペットからの取り外しを容易にしたものである。
【００１３】
胴部１１は、胴部１１の内部に空洞１３を有する略円錐管形状の中空の管体である。この胴部１１は、前端である大径側端１１ａから後端である小径側端１１ｂに向かってトランペットのベル３の内壁に沿うようにして外径および内径が小さくなっており、小径側端１１ｂは開口している。小径側端１１ｂ近傍の胴部１１の外側面には、柔軟な素材からなる取り付け部１４が設けられている。この取り付け部１４を介して小径側端１１ｂ近傍の胴部１１は、トランペットのベル３の内壁に固定される。
【００１４】
底部１２は、皿状であり、皿の底の部分が消音器１の軸近傍に位置している。また、底部１２は、皿の縁の部分が、胴部１１の大径側端１１ａと接着剤等により接合されている。底部１２は、胴部１１の前端である大径側端１１ａを閉塞する閉塞部として機能し、大径側端１１ａは閉塞端となっている。また、底部１２は、胴部１１がトランペットのベル３の内壁に固定されたときにベル３の端面近傍に位置する。より詳細には、底部１２と胴部１１の接合部近傍がベル３の端面に位置し、底部１２は、当該底部１２が湾曲している分だけベル３の端面よりも外側（前方側）に突出する。
【００１５】
本実施形態における消音器１は、胴部１１における底部１２近傍（すなわち閉塞端である大径側端１１ａ近傍）の外壁に起伏を有する。すなわち、胴部１１における底部１２近傍の外壁に胴部１１の軸に向かう方向に落ち込んだ凹部２１と胴部１１の軸から遠ざかる方向に張り出した凸部２２とを有しており、これら凹部２１と凸部２２とが胴部１１の軸の周りに沿って等間隔に交互に繰り返されている。ここで、底部１２近傍（閉塞端近傍）とは、管楽器に装着された消音器１の外壁（胴部１１の外壁）とベル３の内壁との間に底部１２の正面から手指を挿入したときの、胴部１１の軸方向における閉塞端である大径側端１１ａから手指の先端までの手指の長さ程度の範囲を指す。また、胴部１１の軸の周りに沿った各々の凹部２１において、胴部１１の軸方向に沿って胴部１１の軸から凹部２１の底の部分までの距離が一定となっている。また、胴部１１の大径側端１１ａは、当該大径側端１１ａにおける凹部２１および凸部２２の形状を維持しつつ底部１２の縁に連続している。そして、図１（Ｂ）に示すように、胴部１１の軸に沿って正面から底部１２をみると、底部の縁（すなわち胴部１１と底部１２の接合部近傍）は、胴部１１の軸の周りに沿って滑らかな波状となっている。このように設けられた凹部２１は、当該凹部２１に手指を掛けるのに適した寸法となっている。例えば、凹部２１の幅２６（凸部２２から凹部２１へ変わる変曲点から凹部２１から凸部２２へ変わる変曲点までの長さ）は約１５ｍｍ、凹部２１の深さ２７（胴部１１の軸から凸部２２と凹部２１との間の各変曲点を結んだ破線で示す円２５までの長さから胴部１１の軸から凹部２１の底までの長さを差し引いた長さ）は約５ｍｍである。なお、本実施形態における胴部１１の軸の周りに沿った複数の凹部２１は、各々同寸法としているが、例えば、親指を掛ける凹部２１の寸法を少し大きくし小指を掛ける凹部２１の寸法を少し小さくするという具合に、当該複数の凹部２１の寸法を各々異なる寸法としても良い。
【００１６】
本実施形態における消音器１では、胴部１１の軸の周りに沿った凹部２１および凸部２２の個数は、各々７としている。この凹部２１および凸部２２の個数は、底部１２の直径により決定される。より詳細に説明すると、本実施形態における消音器１は、トランペット用のものであるため、底部１２の直径（凸部２２と凹部２１との間の各変曲点を結んだ円２５の直径）は約７０ｍｍである。この直径を有する底部１２の縁に手指を掛けるのに適した寸法の凹部２１を等間隔に配置すると、その凹部２１の個数は７が最適となる。
【００１７】
図２は、消音器１における凹部２１の位置と当該凹部２１に掛ける手指の位置の関係を説明する正面図である。消音器１では、１の凹部２１と胴部１１の軸とを結ぶ線を延長した線を対称軸として各凹部２１が線対称に配置されている。また、消音器１では、凹部２１と凸部２２を胴部１１の軸の周りに沿って等間隔に配置し、胴部１１の軸の周りに沿った凹部２１および凸部２２の個数を各々奇数個（本実施形態では７個）とすることで、胴部１１の軸に垂直な断面において凹部２１の位置と胴部１１の軸を結ぶ線を延長した線と胴部１１の外壁とが交わる位置に凸部２２を配置し、同断面において凸部２２の位置と胴部１１の軸を結ぶ線を延長した線と胴部１１の外壁とが交わる位置に凹部２１を配置するようにしている。このように配置された凹部２１に手指を掛ける場合、図２に示すように、親指ｐが掛けられた凹部２１と胴部１１の軸とを結ぶ線を延長した線と胴部１１の外壁とが交わる位置に配置される凸部２２の両隣に位置する凹部２１に中指ｍおよび薬指ａが各々掛けられ、中指ｍが掛けられた凹部２１のさらに隣の凹部２１に人指し指ｉが掛けられ、薬指ａが掛けられた凹部２１のさらに隣の凹部２１に小指ｃｈが掛けられると考えられる。すなわち、親指ｐが掛けられた凹部２１と胴部１１の軸とを結ぶ線を延長した線を対称軸として人指し指ｉと小指ｃｈとが線対称に位置し中指ｍと薬指ａとが線対称に位置し、さらに、親指ｐが掛けられた凹部２１と胴部１１の軸とを結ぶ線の垂線であり胴部１１の軸を通る線を境界線として、親指ｐの位置に対して人差し指ｉ、中指ｍ、薬指ａおよび小指ｃｈの各々の位置が当該境界線の反対側に位置している。従って、自然な形で消音器１を掴むことができ、かつ、５指に均一に力を加えることができる。
【００１８】
また、底部１２には、トランペットのマウスピースの最小内径と同径以上の径を有する貫通孔１５が設けられている。トランペットのマウスピースから吹き込まれトランペット内を通過し、消音器１の胴部１１の小径側端１１ｂから消音器１内の空洞１３に導入された呼気は、底部１２の貫通孔１５から消音器１の外部の空間に排出される。
【００１９】
また、底部１２の中心近傍における消音器１の内部側には、底部１２から胴部１１の小径側端１１ｂ方向に胴部１１の軸に沿って配置される信号線保護管３１を支えるための支持部３２が設けられている。信号線保護管３１の先端にはマイク３３が取り付けられており、信号線保護管３１の内部にはマイク３３に接続された信号線３４が挿通されている。この信号線３４は、底部１２の中心に設けられたイヤホンジャックなどの信号出力部３５に接続されている。また、信号線保護管３１のマイク３３側端近傍には、補助胴部３６が固定されている。補助胴部３６は、ベル３の内壁に沿うようにして信号線保護管３１のマイク３３側端に向かって外径および内径が小さくなっている。補助胴部３６の大径側端３６ａは開口しており、同小径側端３６ｂは信号線保護管３１の先端において閉口している。
以上が、消音器１の構成である。
【００２０】
次に、図３を参照して、本実施形態による消音器１をトランペットから取り外す動作を説明する。消音器１の底部１２近傍の胴部１１の外壁には凹部２１および凸部２２があるため、消音器１が装着されているトランペットのベル３の内壁と消音器１の凸部２２との間の空間は狭くなっており、同ベル３の内壁と消音器１の凹部２１との間の空間は広くなっている。従って、ユーザは、消音器１が装着されたベル３の正面からベル３の内壁と消音器１の凹部２１との間の空間に各手指を差し入れて当該凹部２１に各手指を掛ける。このとき、各手指は、先述の図２に示す位置の凹部２１に掛けられる。そして、ユーザは、凹部２１に掛けた各手指（５指）で消音器１をしっかり掴み、消音器１を軸方向でありベル３から遠ざかる方向に軸の周りに少し回転させながら引っ張る。このようにして消音器１はトランペットから取り外される。
【００２１】
このように、本実施形態による消音器１は、胴部１１における底部１２近傍（すなわち閉塞端である大径側端１１ａ近傍）の外壁に胴部１１の軸の周りに沿った起伏（すなわち凹部２１および凸部２２）を有している。このため、ベル３の内壁と消音器１の凹部２１との間の空間が広くなり、凹部２１に手指を掛けて消音器１をしっかりと掴むことができる。また、手指で掴んだ消音器１を軸の周りに少し回転させるときに、凹部２１と凸部２２との間において手指が消音器１に引っ掛かるため、消音器１を胴部１１の軸の周りに容易に回転することができる。従って、消音器１をトランペットから容易に取り外すことができる。また、凹部２１と凸部２２を胴部１１の軸の周りに沿って等間隔に７個（奇数個）配置することで、自然な形で消音器１を掴むことができ、かつ、５指に均一に力を加えることができる。また、胴部１１の軸の周りに沿った凹部２１の個数が多いため、ユーザは、凹部２１の位置を確認することなく凹部２１に手指を掛けることができる。
【００２２】
＜第２実施形態＞
図４は、この発明の第２実施形態による消音器１Ａの構成を示す正面図である。本実施形態による消音器１Ａは、胴部１１における底部１２近傍の外壁に胴部１１の軸に向かう方向に落ち込んだ凹部２１と胴部１１の軸から遠ざかる方向に張り出した凸部２２とを有し、凹部２１と凸部２２とが等間隔で胴部１１の軸の周りに沿って繰り返されている点において第１実施形態の消音器１と同様であるが、胴部１１の軸の周りに沿った凹部２１および凸部２２の個数およびそれらの配置の点において第１実施形態の消音器１と異なる。
【００２３】
図４に示すように、消音器１Ａでは、胴部１１の軸の周りに沿った凹部２１および凸部２２の個数は各々６である。このため、胴部１１の軸に垂直な断面において凹部２１の位置と胴部１１の軸を結ぶ線を延長した線と胴部１１の外壁とが交わる位置に他の凹部２１が配置され、同断面において凸部２２の位置と胴部１１の軸を結ぶ線を延長した線と胴部１１の外壁とが交わる位置に他の凸部２２が配置される。すなわち、凹部２１は、２個の凹部２１と胴部１１の軸とのなす角が１８０度となる位置に配置されている。このように凹部２１が配置されたとき、図４に示すように、親指ｐが掛けられた凹部２１と胴部１１の軸とを結ぶ線を延長した線と胴部１１の外壁とが交わる位置に配置される凹部２１に中指ｍが掛けられ、中指ｍが掛けられた凹部２１の両隣に位置する各々の凹部２１に人指し指ｉおよび薬指ａが各々掛けられると考えられる。すなわち、親指ｐおよび中指ｍが胴部１１の軸とのなす角が１８０度となる位置に各々位置し、親指ｐが掛けられた凹部２１と胴部１１の軸とを結ぶ線を延長した線を対称軸として人指し指ｉと薬指ａとが線対称に位置し、さらに、親指ｐが掛けられた凹部２１と胴部１１の軸とを結ぶ線の垂線であり胴部１１の軸を通る線を境界線として、親指ｐの位置に対して人差し指ｉ、中指ｍおよび薬指ａの位置が当該境界線の反対側に位置している。従って、自然な形で消音器１Ａを掴むことができ、かつ、凹部２１に掛けた各手指に均一に力を加えることが容易である。従って、第１実施形態と同様な効果を奏する。
【００２４】
また、図４では、凹部２１および凸部２２が胴部１１の軸の周りに等間隔に繰り返され、胴部１１の軸の周りに沿った凹部２１の個数が６であったが、凹部２１および凸部２２は等間隔に繰り返されていなくても良く、凹部２１の個数は６でなくても良い。要は、複数の凹部２１のうち少なくとも２個の凹部２１が、当該２個の凹部２１と胴部１１の軸とのなす角が１８０度となる位置に配置されていれば良い。２個の凹部２１と胴部１１の軸とのなす角が１８０度となる当該一方の凹部２１に親指ｐを掛け、他方の凹部２１にその他の任意の指（中指ｍなど）を掛けることで、消音器１Ａをトランペットから容易に取り外すことができるからである。
【００２５】
＜他の実施形態＞
以上、この発明の第１および第２実施形態について説明したが、この発明には他にも実施形態が考えられる。例えば次の通りである。
【００２６】
（１）上記各実施形態による消音器１および１Ａは、トランペット用の消音器１および１Ａであった。しかし、トランペット以外の管楽器に用いる消音器においても同様な消音器を設計することができる。図５〜７は、トロンボーン用の消音器１Ｂ、フレンチホルン用の消音器１Ｃおよびフリューゲルホルン用の消音器１Ｄの構成を示す斜視図である。図５〜７に示すように、各消音器１Ｂ〜１Ｄは、各管楽器のベル３の形状に合わせた円錐形状をなしており、各消音器１Ｂ〜１Ｄの胴部１１における底部１２近傍の外壁には、胴部１１の軸の周りに沿った凹部２１および凸部２２が設けられている。そして、各消音器１Ｂ〜１Ｄの底部１２の直径（凸部２２と凹部２１との間の各変曲点を結んだ円の直径）が各管楽器のベル３の形状に合わせて異なっているため、胴部１１の軸の周りに沿った凹部２１の個数は、当該消音器１Ｂ〜１Ｄを装着する管楽器により異なっている。例えば、トロンボーン用の消音器１Ｂでは、底部１２の直径は約１１０ｍｍであるため、凹部２１の個数は９とするのが好ましい。また、ベル３の寸法が大きなチューバなどの管楽器に用いる消音器では、当該消音器の底部１２の直径が大きいため底部１２近傍を正面から手指で掴むことが困難となることも考えられる。この場合、図８に示すように、凹部２１および凸部２２を設ける底部１２近傍の胴部１１の直径を部分的に小さくし、底部１２近傍以外の胴部１１の直径をベル３の形状に合わせて大きくするようにしても良い。これにより、胴部１１の直径を部分的に小さくした底部１２近傍の凹部２１に手指を掛けることができ、当該消音器１Ｅを容易に掴むことができる。
【００２７】
（２）上記各実施形態では、凹部２１および凸部２２が胴部１１の軸の周りに沿って等間隔に繰り返されていたが、凹部２１および凸部２２は、等間隔に設けられていなくても良いし、繰り返されていなくても良い。少なくとも底部１２近傍の胴部１１の外壁が起伏していれば良い。当該起伏による凹部２１が１以上あれば当該凹部２１に手指を掛けることができ、消音器を管楽器から容易に取り外すことができるからである。このとき、消音器の内部の空洞の容積を当該消音器を用いて管楽器を吹奏したときの音程性能に影響を及ぼさないように確保しつつ消音器に凹部２１を設けることが好ましい。また、上記第１実施形態による消音器１では、凹部２１の個数を７とし、上記第２実施形態による消音器１Ａでは凹部２１の個数を６としていたが、凹部２１の個数はこれらに限られない。例えば、図２に示す消音器１における手指が掛けられていない位置の凹部２１を設けないようにしても良い。
【００２８】
（３）第１実施形態では、凹部２１および凸部２２を胴部１１の軸の周りに沿って等間隔に繰り返し、胴部１１の軸の周りに沿った凹部２１の個数を７とすることで、凹部２１と胴部１１の軸を結ぶ線を延長した線と胴部１１の外壁とが交わる位置に凸部２２を配置していた。しかし、凹部２１および凸部２２を胴部１１の軸の周りに沿って等間隔に繰り返し、胴部１１の軸の周りに沿った凹部２１の個数を７以外の奇数としても良い。この場合においても、凹部２１と胴部１１の軸を結ぶ線を延長した線と胴部１１の外壁とが交わる位置に凸部２２が配置され、消音器を掴む５指に均一に力を加えることができるからである。
【００２９】
（４）上記各実施形態では、消音器１および１Ａをトランペットに装着したときに、消音器１および１Ａの底部１２と胴部１１の接合部近傍がベル３の端面近傍に位置し、底部１２はベル３の端面から少し突出していた。しかし、消音器は、当該消音器をトランペットに装着したときに、消音器の底部がベル３の内壁により囲まれた空間内に位置しても良い。消音器全体がベル３の端面よりも内側に位置したとしても、当該消音器に設けられた凹部に手指を掛けることにより消音器を容易に取り外すことができるからである。また、消音器は、当該消音器をトランペットに装着したときに、消音器の底部がベル３の端面から大きく突出しても勿論良い。この態様においても凹部に手指を掛けることにより消音器を容易に取り外すことができるからである。
【００３０】
（５）上記各実施形態における消音器１および１Ａの凹部２１および凸部２２は、胴部１１の軸の周りに沿って滑らかな波状に繰り返されていた。しかし、凹部２１および凸部２２は、胴部１１の軸の周りに沿って角張った波状に繰り返されても良い。すなわち、胴部１１の軸に沿って正面から底部１２をみたときに底部１２の縁が多角形であっても良い。
【００３１】
（６）上記各実施形態における消音器１および１Ａの凹部２１は、１の凹部２１に対して１の手指を掛けるのに適した寸法であった。しかし、凹部２１の寸法は、１の凹部２１に対して複数の手指を掛けることができる寸法であっても良い。
【００３２】
（７）底部１２における胴部１１近傍の外壁の一部または全部を胴部１１の大径側端１１ａから小径側端１１ｂに向かう方向に落ち込ませても良い。この態様においても、胴部１１における底部１２近傍の外壁に起伏を有するからである。図９（Ａ）〜（Ｄ）は、この変形例における消音器１Ｆ〜１Ｉの構成を示す斜視図である。図９（Ａ）に示す消音器１Ｆは、底部１２における胴部１１近傍の外壁の一部を大径側端１１ａから小径側端１１ｂに向かう方向に落ち込ませることにより、胴部１１の軸に垂直な面で胴部１１を切断した時の胴部１１の外壁の形状を底部１２近傍と底部１２近傍以外との境界において小径側端１１ｂから大径側端１１ａに向かって円形から三角形にしたものである。また、底部１２近傍の胴部１１の外壁が形成する三角形の頂点を胴部１１の軸方向に連続させた稜線は、底部１２近傍以外の円形の外壁に連続している。そして、この消音器１Ｆでは、消音器１Ｆを管楽器に装着したとき、ベル３の内壁と胴部１１の外壁における三角形の頂点部分との間の空間に比べ、ベル３の内壁と胴部１１の外壁における三角形の各辺との間の空間が広くなる。すなわち、底部１２近傍の胴部１１の外壁が形成する三角形の各辺を胴部１１の軸方向に連続させた各平面が凹部２１として機能する。このため、底部１２近傍の胴部１１の外壁が形成する三角形の各辺を胴部１１の軸方向に連続させた各平面に底部１２の正面側から各手指を掛けることができる。また、消音器１Ｆを胴部１１の軸の周りに少し回転させるときにおける回転方向と各手指を掛ける各平面とが平行していないため、各手指が当該回転方向にすべり難く、消音器１Ｆを胴部１１の軸の周りに容易に回転することができる。従って、消音器１Ｆにおいても、消音器１Ｆを管楽器から容易に取り外すことができる。
【００３３】
また、図９（Ｂ）に示す消音器１Ｇは、底部１２近傍の胴部１１の外壁の形状を三角形から四角形に代えた点において図９（Ａ）の消音器１Ｆと異なる。この消音器１Ｇは、底部１２近傍の胴部１１の外壁が形成する四角形の各辺を胴部１１の軸方向に連続させた各平面が凹部２１として機能する。従って、消音器１Ｇは、消音器１Ｆと同様な効果を奏する。なお、底部１２近傍の胴部１１の外壁の形状は、図９（Ａ）に示す三角形および図９（Ｂ）に示す四角形に限られず、さらに多角形としても良い。
【００３４】
また、図９（Ｃ）に示す消音器１Ｈは、底部１２における胴部１１近傍の外壁の全部を大径側端１１ａから小径側端１１ｂに向かう方向に落ち込ませることにより、胴部１１の軸に垂直な面で胴部１１を切断した時の胴部１１の外壁が形成する円の直径を底部１２近傍と底部１２近傍以外との境界において小径側端１１ｂから大径側端１１ａに向かって小さくしたものである。この消音器１Ｈは、底部１２近傍の胴部１１の外壁に胴部１１の軸の周りに沿った起伏は無いが、底部１２近傍と底部１２近傍以外との境界において胴部１１の外壁に胴部１１の軸方向に沿った起伏を有する。そして、この消音器１Ｈでは、消音器１Ｈを管楽器に装着したとき、ベル３の内壁と底部１２近傍以外の胴部１１の外壁との間の空間に比べ、ベル３の内壁と底部１２近傍の胴部１１の外壁との間の空間が広くなる。すなわち、底部１２近傍の胴部１１の外壁が形成する円の円周を胴部１１の軸方向に連続させた面全体が凹部２１として機能する。このため、底部１２近傍の胴部１１の外壁が形成する円の円周を胴部１１の軸方向に連続させた面に底部１２の正面側から各手指を掛けることができる。従って、消音器１Ｈにおいても、消音器１Ｈを管楽器から容易に取り出すことができる。なお、底部１２近傍の胴部１１の外壁の形状は、円に限られず、例えば楕円としても良い。
【００３５】
また、図９（Ｄ）に示す消音器１Ｉは、胴部１１の軸に垂直な面で胴部１１を切断した時の胴部１１の外壁の形状を底部１２近傍と底部１２近傍以外との境界において小径側端１１ｂから大径側端１１ａに向かって円形から四角形にし、かつ、底部１２近傍と底部１２近傍以外との境界における底部１２近傍以外の胴部１１の外壁が形成する円の直径に比べ、底部１２近傍の胴部１１の外壁が形成する四角形の対角線の長さを短くしたものである。この消音器１Ｉにおいても消音器１Ｇと同様に、底部１２近傍の胴部１１の外壁が形成する四角形の各辺を胴部１１の軸方向に連続させた各平面が凹部２１として機能する。従って、消音器１Ｉは、消音器１Ｇと同様な効果を奏する。なお、底部１２近傍の胴部１１の外壁の形状は、四角形に限られない。
【００３６】
（８）上記各実施形態における消音器１、１Ａ、１Ｂ、１Ｃ、１Ｄ、１Ｅの凹部２１および凸部２２は、胴部１１の軸の周りに沿って等間隔に繰り返されていた。しかし、これらの凹部２１および凸部２２を共に設けるのではなく、凸部２２および凸部２２に対して相対的に凹部２１として機能する部分を設けても良い。この態様においても、胴部１１における底部１２近傍の外壁に起伏を有するからである。図１０は、この変形例における消音器１Ｊの構成を示す正面図である。消音器１Ｊは、底部１２近傍の胴部１１の外壁に胴部１１の軸の周りに沿って等間隔に３個の凸部２２が設けられている。また、胴部１１の軸の周りに沿って隣り合う２個の凸部２２の各々の裾部分の間の部分は、胴部１１の軸を中心とする円弧状になっている。そして、この消音器１Ｊでは、消音器１Ｊを管楽器に装着したとき、ベル３の内壁と胴部１１の外壁における凸部２２の頂上部分との間の空間に比べ、ベル３の内壁と胴部１１の外壁における凸部２２の裾部分との間の空間が広くなる。すなわち、凸部２２の裾部分（より正確には、隣り合う２個の凹部２２の各々の裾部分の間の部分）が相対的に凹部２１として機能する。このため、凸部２２の裾部分に手指を掛けることができる。また、手指で掴んだ消音器１Ｊを軸の周りに少し回転させるときに、凸部２２に手指が引っ掛かるため、消音器１Ｊを胴部１１の軸の周りに容易に回転することができる。従って、消音器１Ｊを管楽器から容易に取り外すことができる。なお、胴部１１の軸の周りに沿った凸部２２の数、配置および形状は図１０に示すものに限られない。
【００３７】
（９）底部１２近傍の胴部１１の外壁に起伏を設ける技術と、消音器を管楽器から容易に取り外す従来技術とを組み合わせても良い。例えば、底部１２近傍の胴部１１の外壁に凹部２１を設けるとともに、手指を挿入することができるリングを底部１２の外壁に設けても良い。底部１２の外壁に設けられたリングに例えば人差し指を挿入して引っ掛けるとともに、胴部１１の外壁に設けられた凹部２１に各手指を掛けることで、消音器を管楽器から容易に取り外すことができる。
【００３８】
（１０）底部１２近傍の胴部１１の外壁に起伏を設けるとともに、手指の一部または全部を挿入することができる１または複数の窪みを底部１２の外壁に設けても良い。例えば、底部１２の外壁に設けられた窪みに親指、中指および薬指を挿入して当該窪み内の壁面を掴むとともに、胴部１１の外壁に設けられた凹部２１に人差し指および小指を掛けることで、消音器を管楽器から容易に取り外すことができる。
【００３９】
（１１）底部１２近傍の胴部１１の外壁に起伏を設けるとともに、凹部２１が設けられた位置における底部１２近傍の外壁と底部１２近傍以外の外壁との間の境界近傍の胴部１１の外壁に当該凹部２１よりもさらに胴部１１の軸に向かう方向に落ち込んだ窪みを設けても良い。この態様では、凹部２１に手指を掛けるとともに、底部１２近傍の外壁と底部１２近傍以外の外壁との間の境界近傍の胴部１１の外壁に設けられた窪みに手指の先を挿入することにより、凹部２１と当該窪みの両方において消音器を掴むことができ、消音器を管楽器から容易に取り外すことができる。
【００４０】
（１２）胴部１１における閉塞端近傍（底部１２近傍）の外壁に起伏を有していれば良く、閉塞端に起伏を有していなくても良い。すなわち、閉塞端近傍の範囲のうちの閉塞端を含まない位置に起伏（凹部２１および凸部２２）を設けても良い。例えば、閉塞端近傍の範囲のうちの閉塞端近傍以外との境界に近い位置（閉塞端から離れた位置）の胴部１１の外壁に閉塞端まで連続しない凹部２１を設ける、という具合である。これにより、ベル３の内壁と胴部１１の外壁との間に手指を挿入したとき、閉塞端近傍の範囲のうちの閉塞端から離れた位置の凹部２１に手指を掛けることができ、消音器を管楽器から容易に取り外すことができる。また、閉塞端近傍の閉塞端を含む位置に凹部２１および凸部２２を設け、かつ、閉塞端近傍の閉塞端を含まない位置に凹部２１および凸部２２を設けても良い。例えば、閉塞端近傍の範囲のうちの閉塞端に近い位置の胴部１１の外壁に閉塞端まで連続する凹部２１を設けるとともに、閉塞端近傍の範囲のうちの閉塞端近傍以外との境界に近い位置の胴部１１の外壁に閉塞端まで連続しない凹部２１を設ける、という具合である。この場合にも同様な効果を奏する。なお、閉塞端近傍の範囲のうちの閉塞端から離れた位置に凹部２１を設ける態様について例示したが、同位置に凹部２１の代わりに凸部２２を設けても良いし、凹部２１と凸部２２の両方を設けても良い。
【００４１】
（１３）底部１２近傍の胴部１１の外壁に設けられた凹部２１および凸部２２の摩擦係数を大きくするようにしても良い。摩擦係数を大きくする手段の例として、（ａ）当該凹部および凸部にゴムなどの滑り止めシートを設ける、（ｂ）当該凹部および凸部に滑り止め塗料を塗布する、（ｃ）当該凹部および凸部にさらに細かな溝や凹凸を設ける、などが考えられる。これらにより、当該凹部および凸部に手指がより確実に引っ掛かるようになるため、当該消音器を管楽器からより容易に取り外すことができる。
【００４２】
（１４）胴部１１と底部１２の接合部近傍の外壁を手指で掴んだときに当該外壁が変形して凹部を形成する柔軟な素材（例えばウレタンなど）により当該外壁を形成しても良い。また、例えば、（ａ）硬質な素材の外側に柔軟な素材を配置する、（ｂ）硬質な素材と柔軟な素材を胴部１１の軸の周りに交互に配置するなど、硬質な素材と柔軟な素材を組み合わせて当該外壁を形成して、当該外壁を手指で掴んだときに柔軟な素材からなる部分のみが変形して凹部を形成するようにしても良い。
【符号の説明】
【００４３】
１，１Ａ，１Ｂ，１Ｃ，１Ｄ，１Ｅ，１Ｆ，１Ｇ，１Ｈ，１Ｉ，１Ｊ…消音器、３…ベル、１１…胴部、１２…底部、１３…空洞、１４…取り付け部、１５…貫通孔、２１…凹部、２２…凸部、２５…円、２６…幅、２７…深さ、３１…信号線保護管、３２…支持部、３３…マイク、３４…信号線、３５…信号出力部、３６…補助胴部、１１ａ，３６ａ…大径側端、１１ｂ，３６ｂ…小径側端。
【図１】
0005949679.tif 000002
【図２】
0005949679.tif 000003
【図３】
0005949679.tif 000004
【図４】
0005949679.tif 000005
【図５】
0005949679.tif 000006
【図６】
0005949679.tif 000007
【図７】
0005949679.tif 000008
【図８】
0005949679.tif 000009
【図９】
0005949679.tif 000010
【図１０】
0005949679.tif 000011
【図１１】
0005949679.tif 000012
【図１２】
0005949679.tif 000013